(57)【特許請求の範囲】
【請求項１】
筒体（４）の通路（Ｓ）の中間部に、絞り孔（５ａ）を有した邪魔板（５）を一体的に形成すると共に、前記筒体（４）の通路（Ｓ）の先端部側の内壁（４ａ）に、等間隔で複数の突状部（６）を長手方向に一体的に形成し、さらに前記筒体（４）の通路（Ｓ）の基端部側を、噴射ノズル（３）に着脱自在とした差し込み部（７）とし、前記差し込み部（７）は、差し込み口（７ａ）を広口とすると共に、この差し込み口（７ａ）から通路（Ｓ）側にかけて滑り止め段部（９）を複数段形成したものとしたことを特徴とするエアゾール噴霧器の噴射ノズル用噴射調整具。
【請求項２】
前記突状部（６）の本数が三本であることを特徴とする請求項１記載のエアゾール噴霧器の噴射ノズル用噴射調整具。
【発明の詳細な説明】
【０００１】
【発明の属する技術分野】
この発明は、医薬品、農薬、化粧品等のエアゾール組成物、特に殺虫剤、殺ダニ剤等のエアゾール組成物の噴霧器の噴射ノズルに用いられる噴射調整具に関するものである。
【０００２】
【従来の技術】
従来、エアゾール噴霧器の噴射ノズルとしては、特開平７−２２８２号公報に開示されたようなものが存在する。
【０００３】
このエアゾール噴霧器の噴射ノズルは、図９に示したような、円形の板１１ａの外周から噴射ノズル３の噴射口側に向かって等間隔で放射状に三枚の仕切板１１ｂを形成した邪魔部材１１を、図１０に示したように、エアゾール噴霧器２の噴射ノズル３の内部に配置したものとし、噴射液を広い温度域において適度な範囲に拡散させて、標的害虫に対する命中率を向上させることができるようにするなど、その噴射具合を調整するようにしていた。
【０００４】
【発明が解決しようとする課題】
しかしながら、上記従来のエアゾール噴霧器の噴射ノズルでは、噴射具合を調整するための邪魔部材１１が、常に噴射ノズル３の内部に配置した状態となっており、この邪魔部材１１を外した状態で使用することができないので、噴射具合を元に戻すことができず、逆に不便な場合もあるという課題を有していた。
【０００５】
さらに、上記従来のエアゾール噴霧器の噴射ノズルでは、液滴状での噴射機能と霧状での噴射機能という両機能を自在に併用できず、また噴射具合を調整するための邪魔部材１１を既存の噴射ノズル３にはそのまま適用できないという課題を有していた。
【０００６】
そこで、この発明は、上記従来の課題を解決するものであり、噴射具合を元に戻したい場合には噴射ノズルから取り外すことができると共に、ロングノズルやツーウエイ式等どのような噴射ノズルにも簡単にしかも安定した状態で取り付けておくことのできる噴射調整具を提供することを目的としてなされたものである。
【０００７】
【課題を解決するための手段】
そのため、この発明のエアゾール噴霧器の噴射ノズル用噴射調整具は、筒体４の通路Ｓの中間部に、絞り孔５ａを有した邪魔板５を一体的に形成すると共に、前記筒体４の通路Ｓの先端部側の内壁４ａに、等間隔で複数の突状部６を長手方向に一体的に形成し、さらに前記筒体４の通路Ｓの基端部側を、噴射ノズル３に着脱自在とした差し込み部７とし、前記差し込み部７は、差し込み口７ａを広口とすると共に、この差し込み口７ａから通路Ｓ側にかけて滑り止め段部９を複数段形成したものとしている。
【０００８】
さらに、この発明において、前記突状部６の本数は三本であるものとすることができる。
【００１０】
【発明の実施の形態】
以下、この発明のエアゾール噴霧器の噴射ノズル用噴射調整具を実施の形態に基づいて、詳細に説明する。
【００１１】
図１は、この発明の噴射調整具１が、エアゾール噴霧器２の噴射ノズル３に着脱自在として取り付けられた状態を示している。この噴射調整具１は、図２〜８に示したように、筒体４の通路Ｓの中間部に、絞り孔５ａを有した邪魔板５を、合成樹脂の一体成形により一体的に形成したものとしている。そして、前記筒体４の通路Ｓの先端部側の内壁４ａには、等間隔で複数の突状部６を合成樹脂の一体成形により長手方向に一体的に形成したものとしている。さらに、前記筒体４の通路Ｓの基端部側は、噴射ノズル３に着脱自在とした差し込み部７としている。
【００１２】
前記エアゾール噴霧器２は、エアゾール用バルブを具備した容器内に原液と噴射剤とからなるエアゾール内容物が充填されたもので、原液は主成分とこれを溶かしこむ溶媒からなる。噴射剤には、ＬＰＧ、ＤＭＥ、液化石油、プロパン、ブタン、ペンタン、塩素を含有しないフロンなど各種冷媒となるものをそれぞれ単独もしくは混合物で用い得る。
【００１３】
主成分としては、Ｏ，Ｏ−ジエチル−Ｏ−（５−フェニル−３−イソキサゾイル）ホスホロチオエート、Ｏ，Ｏ−ジメチル−Ｏ−（３−メチル−４−ニトロフェニル）ホスホロチオエート、Ｏ，Ｏ−ジエチル−Ｓ−（２−エチルチオエチル）ホスホロジチオエート、Ｏ，Ｏ−ジエチル−Ｏ−〔２−クロロ−１−（２，４−ジクロロフェニル）ビニル〕フォスフェート、Ｏ，Ｏ−ジメチル−Ｓ−（Ｎ−メチル−カーバモイルメチル）フォスフォロジチオエート、Ｏ，Ｓ−ジメチル−Ｎ−アセチルフォスフォロアミドチオエート、Ｏ−エチル−Ｏ−２，４−ジクロロフェニルベンゼンフォスフォノチオエート、２−メトキシ４Ｈ−１，１，３，２−ベンゾオキサフォスフォラン−２−４オン、メチルＮ−〔（メチルカーバモイル）オキシ〕チオアセトイミデート、Ｏ，Ｏ−ジメチル−Ｓ−〔２−メトキシ−１，３，４−チアジアゾール−５（４Ｈ）−オン−４−イル）メチル〕ジチオフォスフェート、Ｏ，Ｏ−ジエチル−Ｏ−（３，５，６−トリクロロ−２−ピリジル）フォスフォロチオエート、１，３−ビス（カーバモイルチオ）−２−（Ｎ，Ｎ−ジメチルアミノ）プロパンハイドロクロライド、ピリダフェンチオン、ペルメトリン、フェノトリン、フェンプロパトリン、フェンバレレート、アレスリン、レスメトリン、フラメトリン、フェニトロチオン、フタルスリン、カーバリール、プロボクサー、アセタミプリド、イミダクロプリド、ニテンピラムなどの殺虫・殺ダニ剤、他殺穿孔虫剤、クロールデン、ペルメトリン、ヒドラメチルノン、ホウ酸などの殺蟻剤、６−（プロピルピペロニル）−ブチルカルビチルエーテル、Ｎ−（２−エチルヘキシル）−１−イソプロピル−４−メチルビシクロ（２，２，２）オクト−５−エン−２，３−ジカルボキシイミド、イソボルニルチオシアノアセテート、オクタクロロジプロピリエーテル（Ｓ４２１）などの共力剤、ジメチルフタレート、２，３，４，５−ビス−（△2 −ブチレン）−テトラハイドロフラン、２，３，４，５−ビス−（△2 −ブチレン）−テトラヒドロフルフリルアルコール、Ｎ，Ｎ−ジエチル−ｍ−トルアミド（ＤＥＥＴ）、カプリル酸ジエチルアミド、２，３，４，５−ビス−（△2 −ブチレン）−テトラヒドロフルフラール、ジ−ｍ−プロピル−イソシンコメロネート、第２級ブチルスチリルケトン、ノニルスチルケトン、Ｎ−プロピルアセテトアニリド、２−エチル−１，３−ヘキサンジオール、ジ−ｎ−ブチルサクシネート、２−ブトキシエチル−２−フルフリデンアセテート、ジブチルフタレート、テトラヒドロチオフエン、β−ナフトール、ジアリルジスルフイド、ビス（ジメチルチオカルパモイル）ジスルフイドなどの害虫忌避剤などを挙げることができる。溶媒としては、水、親水性溶剤、界面活性剤、両親媒性物質などが挙げられる。
【００１４】
さらに、エアゾール内容物には、リン酸トリクレジル、塩素化パラフィンなどの難燃剤を１０重量％以下配合することもできる。
【００１５】
また、原液と噴射剤とは、用途に応じ５〜９５：９５〜５の範囲の配合割合で使用される。なお、原液の主成分としては、消臭剤、消炎剤、鎮痛剤、シップ剤などとすることもできる。
【００１６】
前記噴射ノズル３は、ステム（図示せず）、押釦８に直接的もしくは間接的に取り付けられている。なお、噴射ノズル３の噴口径は、害虫防除に適するように他のバルブ径より大きく適度な粒子径で噴射が行えればよいが、内径が０．３〜３．８ｍｍ程度のものが好ましい。また、噴射ノズル３の外径、長さなどは、任意であるが、外径は０．５〜４．０ｍｍ程度であればよく、長さも５〜６００ｍｍ程度あればよい。さらに、噴射ノズル３は、折り曲げ、伸縮などが自在にできるものであってもよい。
【００１７】
前記絞り孔５ａは、通路Ｓを絞り込むためのものであり、図７に示したように、邪魔板５の外寄りに等間隔で設けた三個の略扇形の孔としているが、通路Ｓを絞り込むためのものであれば、実施可能なかぎり、特に形状や大きさは限定されない。
【００１８】
前記突状部６は、図３や図５に示したように、筒体４の通路Ｓの先端部側の内壁４ａに三本設けられたものとしており、何れも直線状としており、その断面形状を略四角形としているが、複数本であればよく、曲線状としたり、その断面形状も略半円形や略三角形状とすることもでき、この突状部６の形状によって、噴射液の噴射状態を霧状から液滴状に調整することができるようにしている。
【００１９】
前記差し込み部７は、噴射ノズル３を挿入し易すくするため、差し込み口７ａを広口とすると共に、この差し込み口７ａから通路Ｓ側にかけて滑り止め段部９を幅方向に複数段形成したものとしている。この滑り止め段部９によって、差し込み部７に差し込まれた噴射ノズル３が不用意に抜けないようにしている。
【００２０】
【発明の効果】
この発明のエアゾール噴霧器の噴射ノズル用噴射調整具は、以上に述べたように構成されているので、噴射具合を元に戻したい場合には噴射ノズルから取り外すことができると共に、ロングノズルやツーウエイ式等どのような噴射ノズルにも簡単にしかも安定した状態で取り付けておくことのできるものとなった。
【図面の簡単な説明】
【図１】この発明の噴射調整具をエアゾール噴霧器の噴射ノズルに取り付けた状態を示す要部断面図である。
【図２】この発明の噴射調整具の斜視図である。
【図３】この発明の噴射調整具の一部を切り欠いて示す斜視図である。
【図４】この発明の噴射調整具の正面図である。
【図５】図４中のＡ−Ａ線による断面図である。
【図６】この発明の噴射調整具の側面図である。
【図７】図６中のＢ−Ｂ線による断面図である。
【図８】この発明の噴射調整具の背面図である。
【図９】従来のエアゾール噴霧器の噴射ノズルの内部に配置される邪魔部材の斜視図である。
【図１０】図９の邪魔部材をエアゾール噴霧器の噴射ノズルの内部に配置した状態を示す断面図である。
【符号の説明】
３  噴射ノズル
４  筒体
４ａ  内壁
５  邪魔板
５ａ  絞り孔
６  突状部
７  差し込み部
７ａ  差し込み口
９  滑り止め段部
Ｓ  通路
【図１】
0004352160.tif 000002
【図２】
0004352160.tif 000003
【図３】
0004352160.tif 000004
【図４】
0004352160.tif 000005
【図５】
0004352160.tif 000006
【図６】
0004352160.tif 000007
【図７】
0004352160.tif 000008
【図８】
0004352160.tif 000009
【図９】
0004352160.tif 000010
【図１０】
0004352160.tif 000011